(57)【要約】【課題】昆虫の誘引力の低下を抑えつつ照射光に含まれる可視光をなくした粘着式捕虫装置を提供する。【解決手段】粘着式捕虫装置Ａは、左右方向に開口部１ｄを有する縦長の略コ字状のボディ１と、ボディ１の前面側の一端側で回動自在に枢支された前面カバー２とを備えており、前面カバー２の背面側には粘着シート８が取付けられている。また、ボディ１の内部には、直管型のランプ３が配置されており、ランプ３の発光管３ａには略管状のフィルタ９が取付けられている。このフィルタ９は、人間の目で見ることができる約４２０ｎｍ以上の波長域の光、すなわち可視光成分を略遮光し、近紫外線のみを透過させる。従って、ランプ３からフィルタ９を透過して照射された近紫外線が開口部１ｄを通して外部に照射され、この近紫外線に誘引されて集まってきた昆虫が粘着シート８に捕獲される。【選択図】図１
2008136393.tif 000002
【特許請求の範囲】
【請求項１】
近紫外線を含み、且つ、波長が４２０ｎｍ以上の可視光成分を含まない光を照射する発光部と、当該発光部の照射光により誘引した昆虫を捕虫する粘着部材とを備えたことを特徴とする粘着式捕虫装置。
【請求項２】
前記発光部は、近紫外線を含み、且つ、波長が４２０ｎｍ以上の可視光成分を含まない光を照射するランプ、又は、近紫外線を少なくとも含む光を照射するランプ及び当該ランプから照射される光のうち波長が４２０ｎｍ以上の可視光成分を少なくとも遮光するフィルタの何れかからなることを特徴とする請求項１記載の粘着式捕虫装置。
【請求項３】
前記発光部と所望の遮光領域との間に配置されて、前記発光部から前記遮光領域に照射される光を遮光する遮光壁を設けたことを特徴とする請求項１又は２の何れか１項に記載の粘着式捕虫装置。
【発明の詳細な説明】
【技術分野】
【０００１】
本発明は、光源を用いて昆虫を誘引し、捕虫する粘着式捕虫装置に関するものである。
【背景技術】
【０００２】
従来より、近紫外線を含む光を照射する光源を用いた捕虫装置があった（例えば特許文献１参照）。この捕虫装置は、造営材（例えば、壁面等）に取付けられる器具本体を備えており、この器具本体の内部には昆虫を誘引する近紫外線を含む光を照射する光源及び誘引した昆虫を捕獲するための粘着部材がそれぞれ配設されている。
【０００３】
この捕虫装置では、光源から照射された近紫外線に誘引されて光源の周りに集まってきた昆虫を、光源の近傍に配置した粘着部材で捕獲する。
【特許文献１】特開２００５−４６０４５号公報（第４頁−第５頁、及び、第１図）
【発明の開示】
【発明が解決しようとする課題】
【０００４】
上述の特許文献１に示した捕虫装置では、光源から照射された光は可視光成分も含んでいるので、光源を点灯させた際に装置の周囲に青色の可視光が照射され、空間意匠上好ましくなかった。特に、地明かりが暗いホテルや飲食店においては、青色の可視光の影響が顕著であり、捕虫装置の使用が難しかった。また、可視光が粘着部材の粘着面に照射されると捕獲した昆虫が目立ち、見栄えが悪かった。
【０００５】
本発明は上記問題点に鑑みて為されたものであり、その目的とするところは、昆虫の誘引力の低下を抑えつつ照射光に含まれる可視光をなくした粘着式捕虫装置を提供することにある。
【課題を解決するための手段】
【０００６】
請求項１の発明は、近紫外線を含み、且つ、波長が４２０ｎｍ以上の可視光成分を含まない光を照射する発光部と、当該発光部の照射光により誘引した昆虫を捕虫する粘着部材とを備えたことを特徴とする。
【０００７】
請求項２の発明は、発光部は、近紫外線を含み、且つ、波長が４２０ｎｍ以上の可視光成分を含まない光を照射するランプ、又は、少なくとも近紫外線を含む光を照射するランプ及び当該ランプから照射される光のうち波長が４２０ｎｍ以上の可視光成分を少なくとも遮光するフィルタの何れかからなることを特徴とする。
【０００８】
請求項３の発明は、発光部と所望の遮光領域との間に配置されて、発光部から遮光領域に照射される光を遮光する遮光壁を設けたことを特徴とする。
【発明の効果】
【０００９】
請求項１の発明によれば、近紫外線を含み、且つ、波長が４２０ｎｍ以上の可視光成分を含まない光を照射する発光部を設けることによって、紫外領域に近い青色光を含めてほぼ全ての可視光成分を除いた光が照射されるので、青色の可視光が照射されることがなく、明るさ的、色的に空間に与える影響を抑えることができるという効果がある。また、発光部からは近紫外線を含む光が照射されるので、昆虫の誘引力の低下を抑えることができるという効果がある。さらに、発光部からは４２０ｎｍ以上の波長の光は照射されないので、粘着部材の粘着面を目立たなくすることができ、粘着面に捕獲した昆虫を目立たなくすることができるという効果がある。また、青色の可視光を照射した場合、殺菌灯と誤解されて安全性に対して疑問を持たれたり、気分を害されることもあるが、青色の可視光成分を遮光することによりこのような懸念を解消することができるという効果もある。
【００１０】
請求項２の発明によれば、発光部が、近紫外線を含み、且つ、波長が４２０ｎｍ以上の可視光成分を含まない光を照射するランプ、又は、少なくとも近紫外線を含む光を照射するランプ及び当該ランプから照射される光のうち波長が４２０ｎｍ以上の可視光成分を少なくとも遮光するフィルタの何れかで構成されており、請求項１と同様の効果が得られる。
【００１１】
請求項３の発明によれば、蛍光発色する壁材やクロスが貼られた壁面において、壁材やクロスに近紫外線が照射されると壁材やクロスの色味に影響を与えるが、発光部から所望の遮光領域に照射される光を遮光する遮光壁を発光部と遮光領域との間に設けているので、遮光壁を壁面側に向けることによって壁面に向かって照射される近紫外線を遮光することができ、壁材やクロスの色味に与える影響を抑えることができるという効果がある。
【発明を実施するための最良の形態】
【００１２】
本発明の実施形態を図１〜図３に基づいて説明する。本発明に係る粘着式捕虫装置Ａは、例えば室内等に配置されて、ランプ３から照射される近紫外線により昆虫を誘引し、粘着シート８で昆虫を捕虫するために用いられる。尚、以下の説明では特に断りがない場合、図１（ａ）に示す向きにおいて上下左右の方向を規定し、図１（ａ）の正面を前面という。従って図１（ｂ）の右側が後面側になる。
【００１３】
この粘着式捕虫装置Ａは、ランプ３を収納するための器具本体１５と、器具本体１５を支持するための支持体１３及び支持ベース６とを備えている。
【００１４】
まず、器具本体１５について図１及び図２に基づいて説明する。器具本体１５は、左右方向に開口部１ｄ、１ｄをそれぞれ有し、縦長の矩形板状の背面部（遮光壁）１ａと背面部１ａの長手方向両端側から前面側に向かってそれぞれ延出する上面部１ｂ及び下面部１ｃとで形成された断面コ字状のボディ１を備えており、ボディ１の前面側には、縦長板状の前面カバー２がボディ１の左側において回動自在に枢支されている。また、前面カバー２の背面側には、昆虫を捕獲するための粘着シート（粘着部材）８が粘着面をランプ３側に向けて取付けられている。さらに、ボディ１の背面部１ａの上方位置略中央には、転倒防止用のチェーン（図示せず）を取付けるためのチェーン取付孔１４が設けられている。
【００１５】
ボディ１の左右方向両端側には、前後方向の略中間位置に一片が前面側に延設された略Ｖ字状のルーバー４、４がボディ１の長手方向に沿ってそれぞれ配置されており、これらのルーバー４を設けることにより前面側からランプ３が直接見えない構造となっている。また、ボディ１の背面部１ａにおいて長手方向両端側には、ランプソケット５、５がそれぞれ取付けられており、両ランプソケット５、５間には直管型のランプ３が取付けられている。さらに、ボディ１の裏面側の下方位置には、ランプ３に電源を供給するための安定器７が設けられており、図示しないリード線を介して各ランプソケット５にそれぞれ電気的に接続されている。
【００１６】
ここで、図３はランプ３の分光特性等を示すグラフであり、ランプ３は一点鎖線ｄに示すように約３６５ｎｍの波長をピークとする約３００ｎｍ〜約４８０ｎｍの波長域の光を照射する分光特性を有している。このランプ３の発光管３ａは、例えばアクリルで形成された略管状のフィルタ９で覆われており、フィルタ９は両端側において、例えばシリコンで形成されたパッキン１０、１０でランプ３に装着されている。このフィルタ９は、図３の実線ｃに示すように波長が約３００ｎｍ〜約４００ｎｍまでの光は略１００％透過し、４００ｎｍを超えると透過率が徐々に低下して、約４２０ｎｍ以上の波長域の光は略１００％遮光する透過特性を有している。従って、このフィルタ９をランプ３に取付けることによって、図３の破線ｂに示すように約３６５ｎｍの波長をピークとして、約４２０ｎｍ以上の波長域の光を略１００％遮光する分光特性を有したランプ３にすることができる。ここに、ランプ３及びフィルタ９で発光部が構成されており、発光部は少なくとも波長が約４２０ｎｍ以上の光を照射しないものであればよい。また、発光部は波長が約４２０ｎｍ以上且つ約７８０ｎｍ以下の可視光を照射しないものであってもよい。尚、フィルタ９を取付けたランプ３の代わりに、近紫外線を含み４２０ｎｍ以上の可視光を含まない光を照射するランプ３を用いたり、ランプ３の発光管３ａに４２０ｎｍ以上の可視光を遮光する遮光膜を形成したり、フィルタ９を器具本体１５に取付けてもよく、同様に約４２０ｎｍ以上の波長域の光を含まない光を照射することができる。
【００１７】
次に、図３に基づいて、波長に対する昆虫及び人間の視覚について説明する。実線ａは昆虫のすう光反応曲線を示しており、約３６５ｎｍの波長をピークとして、約２４０ｎｍ〜約５００ｎｍの波長域の光に対して感度を有している。一方、二点鎖線ｅは人間の視感度曲線を示しており、人間の目は約４２０ｎｍ〜約５００ｎｍの波長域の光を見ることができる。従って、約４２０ｎｍ以上の波長域の光、すなわち可視光成分を遮光することによって、人間の目に見える青色の可視光成分を放出することなく、昆虫を誘引することができる波長域の光、すなわち近紫外線を照射することができる。
【００１８】
さらに、支持ベース６及び支持体１３について図１に基づいて説明する。支持ベース６は、略矩形板状に形成されており、支持ベース６の上面には支持体１３が取付けられている。この支持体１３は、器具本体１５を配置するために前面側が切り欠かれた側面視略Ｌ字状に形成されており、背面側には安定器７に電源を供給するための電源コード１２が設けられている。また、支持体１３の上面には、安定器７に電源を供給しランプ３を点灯させるための点灯スイッチ１１が設けられている。
【００１９】
次に、粘着式捕虫装置Ａの動作について説明する。まず、電源コード１２を壁面に設けたコンセント（図示せず）に接続し、点灯スイッチ１１を押すとランプ３が点灯し、器具本体１５の左右の開口部１ｄを通して近紫外領域の光が外部に照射される。そして、この近紫外線に誘引されて昆虫がランプ３の周りに集まり、前面カバー２の背面側に設けた粘着シート８に捕獲される。
【００２０】
この粘着式捕虫装置Ａでは、フィルタ９を取付けたランプ３を用いたり、近紫外線を含み４２０ｎｍ以上の可視光を含まない光を照射するランプ３を用いたり、ランプ３の発光管３ａに４２０ｎｍ以上の可視光を遮光する遮光膜を形成したり、フィルタ９を器具本体１５に取付けることによって、紫外領域に近い青色光を含めてほぼ全ての可視光成分を除いた光が照射されるので、青色の可視光が照射されることがなく、明るさ的、色的に空間に与える影響を抑えることができる。従って、地明かりが暗いホテルや飲食店でも粘着式捕虫装置Ａを使用することができる。また、ランプ３からは近紫外線を含む光が照射されるので、昆虫の誘引力の低下を抑えることができる。さらに、ランプ３からは４２０ｎｍ以上の波長の光を照射しないので、粘着シート８の粘着面を目立たなくすることができ、粘着シート８に捕獲した昆虫を目立たなくすることができる。また、青色の可視光を照射した場合、殺菌灯と誤解されて安全性に対して疑問を持たれたり、気分を害されることもあるが、この粘着式捕虫装置Ａを用いることによって、青色の可視光成分を遮光することができ、このような懸念を解消することができる。
【００２１】
また、壁面に蛍光発色する壁材やクロスが貼られている場合、壁材やクロスに近紫外線が照射されると壁材やクロスの色味に影響を与えるが、器具本体１５の背面側にランプ３から照射される光を遮光する遮光壁をなす背面部１ａを設けているので、背面部１ａを壁面側に向けることによって壁面に向かって照射される近紫外線を遮光することができ、壁材やクロスの色味に与える影響を抑えることができる。
【００２２】
尚、器具本体１５に吸入機能、例えば吸引ファン等を設けてもよく、ランプ３に誘引されてランプ３の近傍を飛び回る昆虫を吸引ファンで器具本体１５内部に吸入することができ、昆虫の捕獲効率を向上させることができる。
【図面の簡単な説明】
【００２３】
【図１】（ａ）は本実施形態の粘着式捕虫装置の前面カバーを取外した状態の正面図である。（ｂ）は同上の一部破断せる側面図である。（ｃ）は同上の背面図である。（ｄ）は同上の前面カバーを開いた状態を上面から見た平面図である。
【図２】同上の前面カバーを閉じた状態を上面から見た一部破断せる平面図である。
【図３】同上に用いたランプの分光特性等を示すグラフである。
【符号の説明】
【００２４】
１    ボディ
１ａ  背面部（遮光壁）
１ｂ  上面部
１ｃ  下面部
２    前面カバー
３    ランプ
８    粘着シート（粘着部材）
９    フィルタ
１０  パッキン
【図１】
2008136393.tif 000003
【図２】
2008136393.tif 000004
【図３】
2008136393.tif 000005